(57)【要約】【課題】一覧表示のメール件数が少数である場合、画面の空白の余裕を有効に利用する。【解決手段】送受信したメールを画面に一覧表示するためのメール一覧表示システムに、送信者、受信者、受信日時、送信日時、タイトル、添付ファイル有無を含む属性情報を保持するメール属性情報保持部121と、一覧表示されている情報に対して属性情報を追加し、文字サイズを拡大し、１画面の行数を変更し、メール１件あたりの行数を変更するルールを保持するメール表示拡張ルール保持部122と、保持されたメールの属性情報を取り出すメール属性取得部131と、属性情報からメール数を抽出し、メール一覧表示に空白がある場合、取り出したルール情報に基づき、文字サイズ拡大の情報から１画面の行数を更新し、属性情報の追加からメール１件の行数を更新し、取得された属性情報を追加し、文字サイズを拡大し表示する表示内容作成機能部132とを備える。【選択図】図１
2006350742.tif 000002
【特許請求の範囲】
【請求項１】
送受信したメールを画面に一覧表示するためのメール一覧表示システムにおいて、
送信、受信、送信を保留したメールの分類されたフォルダ名、送信者、受信者、受信日時、送信日時、タイトル、添付ファイル有無を含む属性情報を保持するメール属性情報保持部と、
一覧表示されている情報に対して属性情報を追加し、文字サイズを拡大し、１画面の行数を変更し、メール１件あたりの行数を変更するルールを保持するメール表示拡張ルール保持部と、
前記メール属性情報保持部からメールの属性情報を取り出すメール属性取得部と、
選択されたメールのフォルダ名に対して、前記メール属性取得機能部から受け取ったメール属性情報からメール数を抽出し、抽出したメール数からメール一覧表示に空白がある場合、前記メール表示拡張ルール保持部から取り出したルール情報に基づき、文字サイズ拡大の情報から１画面の行数を更新し、さらに、属性情報の追加からメール１件の行数を更新し、メール属性取得機能部から取得された属性情報をメール一覧表示に追加し、文字サイズを拡大し画面に表示する表示内容作成機能部とを備えることを特徴とするメール一覧表示システム。
【請求項２】
前記メール表示拡張ルール保持部では、１件のメールとして１行で送信者、受信日時又は受信者、送信日時がメール一覧表示される場合、メール一覧表示に属性情報としてタイトルを追加しメール１件を２行で表示するルールを有することを特徴とする、請求項１に記載のメール一覧表示システム。
【請求項３】
前記メール表示拡張ルール保持部では、１件のメールとして１行で送信者、受信日時又は受信者、送信日時がメール一覧表示される場合、メール一覧表示に属性情報としてタイトル、添付ファイル有無を追加しメール１件を１．５行で表示するルールを有することを特徴とする、請求項１に記載のメール一覧表示システム。
【請求項４】
前記メール表示拡張ルール保持部では、１件のメールとして１行で送信者、受信日時又は受信者、送信日時がメール一覧表示される場合、段階的に文字サイズ拡大可能とし、送信者、受信日時又は受信者、送信日時を２行で表示するルールを有することを特徴とする、請求項１に記載のメール一覧表示システム。
【請求項５】
前記メール表示拡張ルール保持部では、１件のメールとして１行で送信者、受信日時又は受信者、送信日時がメール一覧表示される場合、メール一覧表示に属性情報としてタイトルを追加し、さらに、段階的に文字サイズを拡大し、メール１件を３行で表示するルールを有することを特徴とする、請求項１に記載のメール一覧表示システム。
【請求項６】
前記メール表示拡張ルール保持部では、１件のメールとして１行で送信者、受信日時又は受信者、送信日時がメール一覧表示される場合、メール一覧表示に属性情報としてタイトル、添付ファイル有無を追加し、さらに、段階的に文字サイズを拡大し、メール１件を４行で表示するルールを有することを特徴とする、請求項１に記載のメール一覧表示システム。
【請求項７】
前記メール表示拡張ルール保持部では、１件のメールとして１行で送信者又は受信者がメール一覧表示される場合、メール一覧表示に属性情報として受信日時又は送信日時を追加しメール１件を２行で表示するルールを有することを特徴とする、請求項１に記載のメール一覧表示システム。
【請求項８】
前記メール表示拡張ルール保持部では、１件のメールとして１行で送信者又は受信者がメール一覧表示される場合、メール一覧表示に属性情報として受信日時、タイトル又は送信日時、タイトルを追加しメール１件を３行で表示するルールを有することを特徴とする、請求項１に記載のメール一覧表示システム。
【請求項９】
前記メール表示拡張ルール保持部では、１件のメールとして１行で送信者又は受信者がメール一覧表示される場合、メール一覧表示に属性情報として受信日時、タイトル、添付ファイル有無又は送信日時、タイトル、添付ファイル有無を追加しメール１件を４行で表示するルールを有することを特徴とする、請求項１に記載のメール一覧表示システム。
【請求項１０】
前記メール表示拡張ルール保持部では、１件のメールとして１行で送信者又は受信者がメール一覧表示される場合、文字サイズ拡大可能とし、送信者又は受信者を１行で表示するルールを有することを特徴とする、請求項１に記載のメール一覧表示システム。
【請求項１１】
前記メール表示拡張ルール保持部では、１件のメールとして１行で送信者又は受信者がメール一覧表示される場合、メール一覧表示に属性情報として受信日時又は送信日時を追加し、さらに、文字サイズを拡大し、メール１件を２行で表示するルールを有することを特徴とする、請求項１に記載のメール一覧表示システム。
【請求項１２】
前記メール表示拡張ルール保持部では、１件のメールとして１行で送信者又は受信者がメール一覧表示される場合、メール一覧表示に属性情報として受信日時、タイトル又は送信日時、タイトルを追加し、さらに、文字サイズを拡大し、メール１件を３行で表示するルールを有することを特徴とする、請求項１に記載のメール一覧表示システム。
【請求項１３】
前記メール表示拡張ルール保持部では、１件のメールとして１行で送信者又は受信者がメール一覧表示される場合、メール一覧表示に属性情報として受信日時、タイトル、添付ファイル有無又は送信日時、タイトル、添付ファイル有無を追加し、さらに、文字サイズを拡大し、メール１件を４行で表示するルールを有することを特徴とする、請求項１に記載のメール一覧表示システム。
【請求項１４】
前記メール表示拡張ルール保持部は、一覧表示されている情報に対する属性情報の追加、文字サイズ拡大をカスタマイズし、前記表示内容作成機能部は、前記メール表示拡張ルール保持部でカスタマイズされた属性情報の追加、文字サイズ拡大の情報に基づき、メール一覧表示を行うことを特徴とする、請求項１に記載のメール一覧表示システム。
【請求項１５】
送受信したメールを画面に一覧表示するためのメール一覧表示方法において、
送信、受信、送信を保留したメールの分類されたフォルダ名、送信者、受信者、受信日時、送信日時、タイトル、添付ファイル有無を含む属性情報を保持する工程と、
一覧表示されている情報に対して属性情報を追加し、文字サイズを拡大し、１画面の行数を変更し、メール１件あたりの行数を変更するルールを保持する工程と、
選択されたメールのフォルダ名に対して、保持されている属性情報を取り出す工程と、
取り出した属性情報からメール数を抽出する工程と、
抽出したメール数からメール一覧表示に空白がある場合、保持されているルール情報に基づき、文字サイズ拡大の情報から１画面の行数を更新し、さらに、属性情報の追加からメール１件の行数を更新し、取り出した属性情報をメール一覧表示に追加し、文字サイズを拡大し、画面に表示する工程とを備えることを特徴とするメール一覧表示方法。
【請求項１６】
送受信したメールを画面に一覧表示するためのメール一覧表示をコンピュータで実行するプログラムにおいて、
送信、受信、送信を保留したメールの分類されたフォルダ名、送信者、受信者、受信日時、送信日時、タイトル、添付ファイル有無を含む属性情報を保持する手順と、
一覧表示されている情報に対して属性情報を追加し、文字サイズを拡大し、１画面の行数を変更し、メール１件あたりの行数を変更するルールを保持する手順と、
選択されたメールのフォルダ名に対して、保持されている属性情報を取り出す手順と、
取り出した属性情報からメール数を抽出する手順と、
抽出したメール数からメール一覧表示に空白がある場合、保持されているルール情報に基づき、文字サイズ拡大の情報から１画面の行数を更新し、さらに、属性情報の追加からメール１件の行数を更新し、取り出した属性情報をメール一覧表示に追加し、文字サイズを拡大し、画面に表示する手順とを備えることを特徴とするメール一覧表示をコンピュータで実行するプログラム。
【請求項１７】
送受信したメールを画面に一覧表示するためのメール一覧表示を行う通信端末において、
送信、受信、送信を保留したメールの分類されたフォルダ名、送信者、受信者、受信日時、送信日時、タイトル、添付ファイル有無を含む属性情報を保持するメール属性情報保持部と、
一覧表示されている情報に対して属性情報を追加し、文字サイズを拡大し、１画面の行数を変更し、メール１件あたりの行数を変更するルールを保持するメール表示拡張ルール保持部と、
前記メール属性情報保持部からメールの属性情報を取り出すメール属性取得部と、
選択されたメールのフォルダ名に対して、前記メール属性取得機能部から受け取ったメール属性情報からメール数を抽出し、抽出したメール数からメール一覧表示に空白がある場合、前記メール表示拡張ルール保持部から取り出したルール情報に基づき、文字サイズ拡大の情報から１画面の行数を更新し、さらに、属性情報の追加からメール１件の行数を更新し、メール属性取得機能部１３１から取得された属性情報をメール一覧表示に追加し、文字サイズを拡大し画面に表示する表示内容作成機能部とを備えることを特徴とするメール一覧表示を行う通信端末。
【発明の詳細な説明】
【技術分野】
【０００１】
本発明はメール送受信機能を持つ通信端末のメール一覧表示システムに関する。特に、本発明は、メール数が少ない場合にメール一覧表示の空白を有効にするメール一覧表示システム、方法、プログラム及び通信端末に関する。
【背景技術】
【０００２】
図５０は本発明の前提となる通信端末のメール一覧表示の例を示す図である。本図（ａ）に示すように、本発明の前提となる通信端末のメール一覧表示ツールの一例として受信メールについて説明を行う。メール件数が２画面以上になる場合、例えば、文字サイズ１０で１件１行の情報９件を１画面にメール一覧表示しているとする。本発明の前提となる通信端末のメール一覧表示ツールでは、多数の件数のメールを通信端末の画面の限られた範囲に一覧表示するため、一例として、１件の受信メールの送信者の情報と共に最小限の属性情報として受信日時を１行にし文字サイズを最小限にした文字サイズ１０で一覧表示している。一覧表示されていない情報はメールを個別に選択することにより入手できる。
【０００３】
しかしながら、本図(ｂ)に示すように、画面に表示されているメール件数が少数である場合、多数の件数のメールの表示と同様に一覧表示していると、画面の表示に空白ができ、画面の空白の余裕を有効に利用できていないという問題がある。
図５１は本発明の前提となる通信端末のメール一覧表示の別の例を示す図である。本図（ａ）に示すように、図５０と比較して、ユーザの操作で、文字サイズ１５で１件１行の送信者の情報６件を１画面に表示し属性情報を表示せず、文字サイズを拡大し、見やすくする変更が可能である。
【０００４】
しかしながら、本図(ｂ)に示すように、画面に表示されているメール件数が少数である場合、前述と同様に、画面の表示に空白ができ、画面の空白の余裕を有効に利用できていないという問題がある。
このようなメールの一覧表示に関する問題に対して、以下のような従来技術がある。
従来、大量の電子メールを受信した際に、どのメールが重要でどのメールが非重要であるかを即座に判断することができず全部のメールの内容を確認するのは非常に繁雑な作業であり、さらに、未読か既読かわからないので、既読のメールをもう一度確認してしまうという無駄な作業を行ってしまうことがあったため、重要度を判断するために、その判断ルールをユーザ設定ルール記憶部に記憶し、それにもとづいて、電子メール重要度判断部で重要度を判断し、判断された重要度に応じてユーザ設定ルール記憶部に定義された方法でメールの一覧表示を行うことによって即座にメールの重要度を判断することができるものがある（例えば、特許文献１参照）。
【０００５】
しかしながら、上記特許文献１では、メールの一覧表示でメールの重要度を判断するものであるが、画面に一覧表示されているメール件数が少数である場合、画面の空白の余裕を有効に利用するものではない。
また、従来、より少ない労力で、また他の作業をしながらも電子メールの内容の確認をすることを可能にするため、表示条件格納手段は、電子メール格納手段に格納されている電子メールから表示に利用する電子メールを抽出するための表示条件を格納し、表示情報作成手段は、電子メール格納手段に格納されている電子メールから表示に用いるべき情報を抽出し、表示情報を作成し、内容自動表示手段は、内容表示領域を表示させ、表示情報作成手段で作成した表示情報を参照して内容表示領域上に表示させるものもある（例えば、特許文献２参照）。
【０００６】
しかしながら、上記特許文献２では、電子メールの内容の確認をするものであるが、画面に一覧表示されているメール件数が少数である場合、画面の空白の余裕を有効に利用するものではない。
また、従来、一連の表示対象データに対してそれを移動表示させる際、表示画面上に表示される現在の表示内容に対して連続するデータが表示画面からはみ出す場合に、表示スクロールを行うことなく、はみ出すデータを含めてそのデータ全体を表示画面上に同時に表示することができ、データの一覧性によりその全体内容を迅速かつ確実に確認するため、スクロール表示が指示された際に、ＣＰＵは、スクロール移動によって表示部のテキスト表示域に表示される各行データをその行頭から行末まで全てテキスト表示域内に収めて表示可能かを判別し、そして、１行分データが途切れ、テキスト表示域から行データの一部がはみ出す場合に、ＣＰＵはそのはみ出した部分を含むように、そのはみ出し方向に文字サイズを縮小変更してテキスト表示するものもある（例えば、特許文献３参照）。
【０００７】
しかしながら、上記特許文献３では、データの一覧性によりその全体内容を迅速かつ確実に確認するものであるが、画面に一覧表示されているメール件数が少数である場合、画面の空白の余裕を有効に利用するものではない。
また、従来、ワンタッチボタンを利用した宛先指定の操作性を向上させるとともに、ワンタッチボタンに表示される宛先情報を認識しやすくすることができる通信端末装置を提供するため、メニュー画面でワンタッチダイヤル送信を選択すると、ＬＣＤ表示部にワンタッチ送信の宛先指定画面が表示された後、表示すべきワンタッチダイヤルの件数が所定数を超えているか否かが判別され、所定件数を越えている場合には、表示画面にサイズ変更ボタン及びスクロールボタンを出現させ、そして、ユーザがサイズ変更ボタンを押すと、表示画面に表示されているワンタッチボタンのサイズが変更され、ボタンの数が増加するとともに、ボタンに表示されている宛先情報の文字の大きさがボタンサイズの変更に合わせて変更されるものもある（例えば、特許文献４参照）。
【０００８】
しかしながら、上記特許文献４では、ワンタッチボタンに表示される宛先情報を認識しやすくするものであるが、画面に一覧表示されているメール件数が少数である場合、画面の空白の余裕を有効に利用するものではない。
【０００９】
【特許文献１】特開平９−２００２５４号公報
【特許文献２】特開平１１−５３１５４号公報
【特許文献３】特開２００１−１８４０５２号公報
【特許文献４】特開２００５−７２９２２号公報
【発明の開示】
【発明が解決しようとする課題】
【００１０】
したがって、本発明は上記問題点に鑑みて、画面に一覧表示されているメール件数が少数である場合、画面の空白の余裕を有効に利用するメール一覧表示システム、方法、コンピュータで実行するプログラム及び通信端末を提供することを目的とする。
【課題を解決するための手段】
【００１１】
本発明は前記問題点を解決するために、送受信したメールを画面に一覧表示するためのメール一覧表示システムにおいて、送信、受信、送信を保留したメールの分類されたフォルダ名、送信者、受信者、受信日時、送信日時、タイトル、添付ファイル有無を含む属性情報を保持するメール属性情報保持部と、一覧表示されている情報に対して属性情報を追加し、文字サイズを拡大し、１画面の行数を変更し、メール１件あたりの行数を変更するルールを保持するメール表示拡張ルール保持部と、前記メール属性情報保持部からメールの属性を取り出し、メール数を取り出すメール属性取得部と、選択されたメールのフォルダ名に対して、前記メール属性取得機能部から受け取ったメール属性情報からメール数を抽出し、抽出したメール数からメール一覧表示に空白がある場合、前記メール表示拡張ルール保持部から取り出したルール情報に基づき、文字サイズ拡大の情報から１画面の行数を更新し、さらに、属性情報の追加からメール１件の行数を更新し、メール属性取得機能部から取得された属性情報をメール一覧表示に追加し、文字サイズを拡大し画面に表示する表示内容作成機能部とを備えることを特徴とするメール一覧表示システムを提供する。
【００１２】
さらに、前記メール表示拡張ルール保持部では、１件のメールとして１行で送信者、受信日時又は受信者、送信日時がメール一覧表示される場合、メール一覧表示に属性情報としてタイトルを追加しメール１件を２行で表示するルールを有する。
さらに、前記メール表示拡張ルール保持部では、１件のメールとして１行で送信者、受信日時又は受信者、送信日時がメール一覧表示される場合、メール一覧表示に属性情報としてタイトル、添付ファイル有無を追加しメール１件を１．５行で表示するルールを有する。
【００１３】
さらに、前記メール表示拡張ルール保持部では、１件のメールとして１行で送信者、受信日時又は受信者、送信日時がメール一覧表示される場合、段階的に文字サイズ拡大可能とし、送信者、受信日時又は受信者、送信日時を２行で表示するルールを有する。
さらに、前記メール表示拡張ルール保持部では、１件のメールとして１行で送信者、受信日時又は受信者、送信日時がメール一覧表示される場合、メール一覧表示に属性情報としてタイトルを追加し、さらに、段階的に文字サイズを拡大し、メール１件を３行で表示するルールを有する。
【００１４】
さらに、前記メール表示拡張ルール保持部では、１件のメールとして１行で送信者、受信日時又は受信者、送信日時がメール一覧表示される場合、メール一覧表示に属性情報としてタイトル、添付ファイル有無を追加し、さらに、段階的に文字サイズを拡大し、メール１件を４行で表示するルールを有する。
さらに、前記メール表示拡張ルール保持部では、１件のメールとして１行で送信者又は受信者がメール一覧表示される場合、メール一覧表示に属性情報として受信日時又は送信日時を追加しメール１件を２行で表示するルールを有する。
【００１５】
さらに、前記メール表示拡張ルール保持部では、１件のメールとして１行で送信者又は受信者がメール一覧表示される場合、メール一覧表示に属性情報として受信日時、タイトル又は送信日時、タイトルを追加しメール１件を３行で表示するルールを有する。
さらに、前記メール表示拡張ルール保持部では、１件のメールとして１行で送信者又は受信者がメール一覧表示される場合、メール一覧表示に属性情報として受信日時、タイトル、添付ファイル有無又は送信日時、タイトル、添付ファイル有無を追加しメール１件を４行で表示するルールを有する。
【００１６】
さらに、前記メール表示拡張ルール保持部では、１件のメールとして１行で送信者又は受信者がメール一覧表示される場合、文字サイズ拡大可能とし、送信者又は受信者を１行で表示するルールを有する。
さらに、前記メール表示拡張ルール保持部では、１件のメールとして１行で送信者又は受信者がメール一覧表示される場合、メール一覧表示に属性情報として受信日時又は送信日時を追加し、さらに、文字サイズを拡大し、メール１件を２行で表示するルールを有する。
【００１７】
さらに、前記メール表示拡張ルール保持部では、１件のメールとして１行で送信者又は受信者がメール一覧表示される場合、メール一覧表示に属性情報として受信日時、タイトル又は送信日時、タイトルを追加し、さらに、文字サイズを拡大し、メール１件を３行で表示するルールを有する。
さらに、前記メール表示拡張ルール保持部では、１件のメールとして１行で送信者又は受信者がメール一覧表示される場合、メール一覧表示に属性情報として受信日時、タイトル、添付ファイル有無又は送信日時、タイトル、添付ファイル有無を追加し、さらに、文字サイズを拡大し、メール１件を４行で表示するルールを有する。
【００１８】
前記メール表示拡張ルール保持部は、一覧表示されている情報に対する属性情報の追加、文字サイズ拡大をカスタマイズし、前記表示内容作成機能部は、前記メール表示拡張ルール保持部でカスタマイズされた属性情報の追加、文字サイズ拡大の情報に基づき、メール一覧表示を行う。
さらに、本発明は、送受信したメールを画面に一覧表示するためのメール一覧表示方法において、送信、受信、送信を保留したメールの分類されたフォルダ名、送信者、受信者、受信日時、送信日時、タイトル、添付ファイル有無を含む属性情報を保持する工程と、一覧表示されている情報に対して属性情報を追加し、文字サイズを拡大し、１画面の行数を変更し、メール１件あたりの行数を変更するルールを保持する工程と、選択されたメールのフォルダ名に対して、保持されている属性情報を取り出す工程と、取り出した属性情報からメール数を抽出する工程と、抽出したメール数からメール一覧表示に空白がある場合、保持されているルール情報に基づき、文字サイズ拡大の情報から１画面の行数を更新し、さらに、属性情報の追加からメール１件の行数を更新し、取り出した属性情報をメール一覧表示に追加し、文字サイズを拡大し、画面に表示する工程とを備えることを特徴とするメール一覧表示方法を提供する。
【００１９】
さらに、本発明は、送受信したメールを画面に一覧表示するためのメール一覧表示をコンピュータで実行するプログラムにおいて、送信、受信、送信を保留したメールの分類されたフォルダ名、送信者、受信者、受信日時、送信日時、タイトル、添付ファイル有無を含む属性情報を保持する手順と、一覧表示されている情報に対して属性情報を追加し、文字サイズを拡大し、１画面の行数を変更し、メール１件あたりの行数を変更するルールを保持する手順と、選択されたメールのフォルダ名に対して、保持されている属性情報を取り出す手順と、取り出した属性情報からメール数を抽出する手順と、抽出したメール数からメール一覧表示に空白がある場合、保持されているルール情報に基づき、文字サイズ拡大の情報から１画面の行数を更新し、さらに、属性情報の追加からメール１件の行数を更新し、取り出した属性情報をメール一覧表示に追加し、文字サイズを拡大し、画面に表示する手順とを備えることを特徴とするメール一覧表示をコンピュータで実行するプログラムを提供する。
【００２０】
さらに、本発明は、送受信したメールを画面に一覧表示するためのメール一覧表示を行う通信端末において、送信、受信、送信を保留したメールの分類されたフォルダ名、送信者、受信者、受信日時、送信日時、タイトル、添付ファイル有無を含む属性情報を保持するメール属性情報保持部と、一覧表示されている情報に対して属性情報を追加し、文字サイズを拡大し、１画面の行数を変更し、メール１件あたりの行数を変更するルールを保持するメール表示拡張ルール保持部と、前記メール属性情報保持部からメールの属性を取り出し、メール数を取り出すメール属性取得部と、選択されたメールのフォルダ名に対して、前記メール属性取得機能部から受け取ったメール属性情報からメール数を抽出し、抽出したメール数からメール一覧表示に空白がある場合、前記メール表示拡張ルール保持部から取り出したルール情報に基づき、文字サイズ拡大の情報から１画面の行数を更新し、さらに、属性情報の追加からメール１件の行数を更新し、メール属性取得機能部から取得された属性情報をメール一覧表示に追加し、文字サイズを拡大し画面に表示する表示内容作成機能部とを備えることを特徴とするメール一覧表示を行う通信端末を提供する。
【発明の効果】
【００２１】
以上説明したように、本発明によれば、送信、受信、送信を保留したメールの分類されたフォルダ名、送信者、受信者、受信日時、送信日時、タイトル、添付ファイル有無を含む属性情報を保持し、一覧表示されている情報に対して属性情報を追加し、文字サイズを拡大し、１画面の行数を変更し、メール１件あたりの行数を変更するルールを保持し、選択されたメールのフォルダ名に対して、保持されている属性情報を取り出し、取り出した属性情報からメール数を抽出し、抽出したメール数からメール一覧表示に空白がある場合、保持されているルール情報に基づき、文字サイズ拡大の情報から１画面の行数を更新し、さらに、属性情報の追加からメール１件の行数を更新し、取り出した属性情報をメール一覧表示に追加し、文字サイズを拡大し、画面に表示するようにしたので、画面に一覧表示されているメール件数が少数である場合、画面の空白の余裕を有効に利用することが可能になる。
【発明を実施するための最良の形態】
【００２２】
以下、本発明の実施の形態について図面を参照して説明する。
図１は本発明に係る通信端末のメール一覧表示システムの概略構成を示すブロック図である。本発明に係る通信端末は少なくともメールの送受信機能を有し、本図に示すように、通信端末のメール一覧表示システム１００には記憶装置１０２、処理装置１０３が設けられ、記憶装置１０２は情報を記憶し、処理装置１０３はＣＰＵ（中央演算装置）で構成され、プログラム制御によって動作する機能を有する。
【００２３】
記憶装置１０２、処理装置１０３には入力装置１０１が接続され、入力装置１０１はボタン、キーボードなどで構成され、ユーザの操作で情報を入力する機能を有する。
さらに、処理装置１０３には表示装置１０４が接続され、表示装置１０４はＬＣＤ（液晶表示部）からなるディスプレイである。
記憶装置１０２にはメール属性情報保持部１２１及びメール表示拡張ルール保持部１２２が設けられる。
【００２４】
ここに、メール属性情報保持部１２１は受信／送信（発信）／送信（発信）保留したメールの分類されたフォルダ名、送信（発信）者／受信者、タイトル、受信／送信（発信）日時、添付ファイル有無などの情報を保持する。
メール表示拡張ルール保持部１２２はメールの属性情報の追加、文字サイズの拡大のルール（規則）情報、表示内容変更時のルール情報、表示内容変更時のルール情報を保持する。これらのルールは、メール一覧表示時に画面に空白（余白）がある場合、メール属性情報を追加し、文字サイズを拡大し、１画面あたりの行数を更新し、メール１件あたりの行数を更新し、ユーザにより分かりやすい情報を提供するものである。画面の空白は一覧表示されている情報に対して属性情報の追加、文字サイズ拡大を行っても一覧表示が画面から逸脱しない程度をいい、好ましくは、１画面の半分以上に空白がある場合を本発明の範囲とする。
【００２５】
処理装置１０３にはメール属性取得機能部１３１及び表示内容作成機能部１３２が設けられ、メール属性取得機能部１３１には、入力装置１０１、メール属性情報保持部１２１及び表示内容作成機能部１３２が接続され、表示内容作成機能部１３２にはメール表示拡張ルール保持部１２２、表示装置１０４が接続される。
ここに、メール属性取得機能部１３１は、入力装置１０１によって選択されたメールフォルダについて、メール属性情報保持部１２１からメール属性情報を取り出し、その結果を表示内容作成機能部１３２に渡す。
【００２６】
表示内容作成機能部１３２は、メール属性取得機能部１３１から受け取ったメール属性情報を表示装置１０４に出力し、メール一覧表示させ、受け取ったメール属性情報からメール数を抽出し、抽出したメール数とメール表示拡張ルール保持部１２２から取り出したルール情報に基づき、表示装置１０４の画面の余白の許す範囲で、文字サイズ拡大の情報から１画面の行数を更新し、さらに、属性情報の追加からメール１件の行数を更新し、メール属性取得機能部１３１から取得された属性情報をメール一覧表示に追加し、文字サイズを拡大し表示装置１０４の画面に表示する。
【００２７】
図２は図１におけるメール表示拡張ルール保持部１２２によるメールの属性情報の追加、文字サイズの拡大のルールの例を説明する図である。本図に示すように、メール表示拡張ルール保持部１２２のメールの属性情報の追加、文字サイズの拡大のルールには、メール一覧表示時に画面に空白（余白）がある場合、属性情報追加の機能、文字サイズ拡大の機能及び属性情報追加／文字サイズ拡大の機能の３つのオプションがあり、ユーザの入力装置１０１の操作により選択された任意の１つのオプションが機能する。
【００２８】
ここに、属性情報追加の機能では、例えば、一覧表示されている送信者、受信日時等の情報に対して、タイトル、添付ファイル有無の属性情報が追加される。
文字サイズ拡大の機能では、一覧表示されている送信者、受信日時等の情報の文字サイズが文字サイズ１０→文字サイズ１５、２０のように拡大される。
属性情報追加／文字サイズ拡大の機能では、一覧表示されている送信者、受信日時等の情報に対して、タイトル、添付ファイル有無の属性情報が追加され、送信者、受信日時、追加されたタイトル、添付ファイル有無の属性情報の文字サイズが拡大される。
【００２９】
図３は図２で属性情報追加の機能、又は属性情報追加／文字サイズ拡大の機能が選択された場合に追加される属性情報を選択する例を示す図である。本図に示すように、メール表示拡張ルール保持部１２２の表示内容変更時のルールでは、１件のメールの送信者、受信日時情報に対して追加表示する属性情報として、例えば、タイトル、添付ファイル有無、タイトル／添付ファイル有無の属性情報があり、属性情報追加の機能、又は属性情報追加／文字サイズ拡大の機能が選択されると、ユーザの入力装置１０１の操作により選択された任意の１つの属性情報が追加される。
【００３０】
図４は図２で属性情報追加の機能、又は属性情報追加／文字サイズ拡大の機能が選択された場合に追加される属性情報を選択する別の例を示す図である。本図に示すように、メール表示拡張ルール保持部１２２の表示内容変更時のルールでは、１件のメールの送信者情報に対して追加表示する属性情報として、受信日時、受信日時／タイトル、受信日時／タイトル／添付ファイル有無の属性情報があり、属性情報追加の機能、又は属性情報追加／文字サイズ拡大の機能が選択されると、ユーザの入力装置１０１の操作により選択された任意の１つの属性情報が追加される。
【００３１】
図５は図２で文字サイズ拡大の機能、又は属性情報追加／文字サイズ拡大の機能が選択された場合に文字サイズ拡大情報を選択する例を示す図である。本図に示すように、メール表示拡張ルール保持部１２２の表示内容変更時のルールでは、１件のメールの送信者、受信日時情報の一覧表示には文字サイズ１０が使用されているとした場合、文字サイズ拡大には、例えば、文字サイズ１０→文字サイズ１５、文字サイズ１０→文字サイズ２０があり、ユーザの入力装置１０１の操作により選択された任意の１つの文字サイズ拡大が行われる。
【００３２】
図６は図２で文字サイズ拡大の機能、又は属性情報追加／文字サイズ拡大の機能が選択された場合に文字サイズ拡大情報を選択する別の例を示す図である。本図に示すように、メール表示拡張ルール保持部１２２の表示内容変更時のルールでは、１件のメールの送信者情報の一覧表示には文字サイズ１５が使用されているとした場合、文字サイズ拡大には、例えば、文字サイズ１５→文字サイズ２０があり、ユーザの入力装置１０１の操作により文字サイズ拡大が行われる
【００３３】
図７は図１におけるメール表示拡張ルール保持部１２２による表示内容変更時のルールとして、文字サイズ拡大に対する１画面の行数を説明する図である。本図に示すように、メール表示拡張ルール保持部１２２の表示内容変更時のルールでは、文字サイズ拡大の機能による文字サイズの拡大に対して表示装置１０４の１画面に表示されるメール一覧の行数の減少が行われる。例えば、文字サイズ１０に対して１画面に９行の表示が行われ、文字サイズ１５に対して１画面に６行の表示が行われ、文字サイズ２０に対して４行の表示が行われる。
【００３４】
また、表示内容変更時のルールとしては、画面サイズを超えないための調整、メール１件あたりの行数の更新ピッチが定められる。例えば、メール行数の更新ピッチが０．５行単位であれば、メール１件あたりの行数は、１行、１．５行（２件で３行）、２行、３行、４行のように更新される。
したがって、本発明によれば、画面に一覧表示されているメール件数が少数である場合、より多くの属性情報を参照することができ、さらに、より大きな文字サイズで参照することができ、画面の空白の余裕を有効に利用することが可能になる。
【実施例１】
【００３５】
図８は画面に一覧表示されるメール件数が１件で、表示内容作成機能部１３２により作成される一覧表示例でメール属性情報を追加する例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが１件であり、１件１行で画面に表示される場合に対して、本図（ｂ）に示すように、表示内容作成機能部１３２では、文字サイズ１０で１件のメールに対して２行の情報を画面に１件２行で表示する。すなわち、送信者、受信日時の情報に加えて、タイトルの属性情報が画面に追加表示される。
【００３６】
図９は図８の第１の変形例であり、画面に一覧表示されるメール件数が２件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが２件であり、２件２行で画面に表示される場合に対して、本図（ｂ）に示すように、表示内容作成機能部１３２では、文字サイズ１０で１件のメールに対して２行の情報を画面に２件４行で表示する。すなわち、送信者、受信日時の情報に加えて、タイトルの属性情報が画面に追加表示される。
【００３７】
図１０は図９の第２の変形例であり、画面に一覧表示されるメール件数が３件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが３件であり、３件３行で画面に表示される場合に対して、本図（ｂ）に示すように、表示内容作成機能部１３２では、文字サイズ１０で１件のメールに対して２行の情報を画面に３件６行で表示する。すなわち、送信者、受信日時の情報に加えて、タイトルの属性情報が画面に追加表示される。
【００３８】
図１１は図９の第３の変形例であり、画面に一覧表示されるメール件数が４件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが４件であり、４件４行で画面に表示される場合に対して、本図（ｂ）に示すように、表示内容作成機能部１３２では、文字サイズ１０で１件のメールに対して２行の情報を画面に４件８行で表示する。すなわち、送信者、受信日時の情報に加えて、タイトルの属性情報が画面に追加表示される。
【実施例２】
【００３９】
図１２は画面に一覧表示されるメール件数が１件で、表示内容作成機能部１３２により作成される一覧表示例でメール属性情報を追加する別の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが１件であり、１件１行で画面に表示される場合に対して、本図（ｂ）に示すように、表示内容作成機能部１３２では、文字サイズ１０で１件のメールに対して３行の情報を画面に１件３行で表示する。すなわち、送信者、受信日時の情報に加えて、タイトル、添付有無の属性情報が画面に追加表示される。
【００４０】
図１３は図１２の第１の変形例であり、画面に一覧表示されるメール件数が２件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが２件であり、２件２行で画面に表示される場合に対して、本図（ｂ）に示すように、表示内容作成機能部１３２では、文字サイズ１０で１件のメールに対して３行の情報を画面に２件６行で表示する。すなわち、送信者、受信日時の情報に加えて、タイトル、添付有無の属性情報が画面に追加表示される。
【００４１】
図１４は図１２の第２の変形例であり、画面に一覧表示されるメール件数が３件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが３件であり、３件３行で画面に表示される場合に対して、本図（ｂ）に示すように、表示内容作成機能部１３２では、文字サイズ１０で１件のメールに対して３行の情報を画面に３件９行で表示する。すなわち、送信者、受信日時の情報に加えて、タイトル、添付有無の属性情報が画面に追加表示される。
【実施例３】
【００４２】
図１５は画面に一覧表示されるメール件数が１件で、表示内容作成機能部１３２により作成される一覧表示例でメール属性情報を追加する他の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが１件であり、１件１行で画面に表示される場合に対して、本図（ｂ）に示すように、表示内容作成機能部１３２では、文字サイズ１０で１件のメールに対して１．５行の情報を画面に表示する。すなわち、送信者、受信日時の情報に加えて、添付有無の属性情報が画面に追加表示される。
【００４３】
図１６は図１５の第１の変形例であり、画面に一覧表示されるメール件数が２件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが２件であり、２件２行で画面に表示される場合に対して、本図（ｂ）に示すように、表示内容作成機能部１３２では、文字サイズ１０で１件のメールに対して１．５行の情報を画面に２件３行で表示する。すなわち、送信者、受信日時の情報に加えて、添付有無の属性情報が画面に追加表示される。
【００４４】
図１７は図１５の第２の変形例であり、画面に一覧表示されるメール件数が３件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが３件であり、３件３行で画面に表示される場合に対して、本図（ｂ）に示すように、表示内容作成機能部１３２では、文字サイズ１０で１件のメールに対して１．５行の情報を画面に３件で表示する。すなわち、送信者、受信日時の情報に加えて、添付有無の属性情報が画面に追加表示される。
【００４５】
図１８は図１５の第３の変形例であり、画面に一覧表示されるメール件数が４件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが４件であり、４件４行で画面に表示される場合に対して、本図（ｂ）に示すように、表示内容作成機能部１３２では、文字サイズ１０で１件のメールに対して１．５行の情報を画面に４件６行で表示する。すなわち、送信者、受信日時の情報に加えて、添付有無の属性情報が画面に追加表示される。
【００４６】
図１９は図１５の第４の変形例であり、画面に一覧表示されるメール件数が５件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが５件であり、５件５行で画面に表示される場合に対して、本図（ｂ）に示すように、表示内容作成機能部１３２では、文字サイズ１０で１件のメールに対して１．５行の情報を画面に５件で表示する。すなわち、送信者、受信日時の情報に加えて、添付有無の属性情報が画面に追加表示される。
【００４７】
図２０は図１５の第５の変形例であり、画面に一覧表示されるメール件数が６件の場合の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが６件であり、６件６行で画面に表示される場合に対して、本図（ｂ）に示すように、表示内容作成機能部１３２では、文字サイズ１０で１件のメールに対して１．５行の情報を画面に６件９行で表示する。すなわち、送信者、受信日時の情報に加えて、添付有無の属性情報が画面に追加表示される。
【実施例４】
【００４８】
図２１は画面に一覧表示されるメール件数が１件で、表示内容作成機能部１３２により作成される一覧表示例で文字サイズを拡大する例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが１件であり、１件１行で画面に表示される場合に対して、本図（ｂ）に示すように、表示内容作成機能部１３２では、文字サイズ１５で１件のメールに対して２行の情報を画面に表示する。すなわち、送信者、受信日時の情報が文字サイズ拡大され画面に２行に表示される。
【００４９】
図２２は図２１の第１の変形例であり、画面に一覧表示されるメール件数が２件で、表示内容作成機能部１３２により作成される一覧表示例で文字サイズを拡大する例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが２件であり、２件２行で画面に表示される場合に対して、本図（ｂ）に示すように、表示内容作成機能部１３２では、文字サイズ１５で１件のメールに対して２行の情報を画面に表示する。すなわち、送信者、受信日時の情報が文字サイズ拡大され画面に４行に表示される。
【００５０】
図２３は図２１の第２の変形例であり、画面に一覧表示されるメール件数が３件で、表示内容作成機能部１３２により作成される一覧表示例で文字サイズを拡大する例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが３件であり、３件３行で画面に表示される場合に対して、本図（ｂ）に示すように、表示内容作成機能部１３２では、文字サイズ１５で１件のメールに対して２行の情報を画面に表示する。すなわち、送信者、受信日時の情報が文字サイズ拡大され画面に６行に表示される。
以下のように、さらに、文字サイズを拡大し、段階的に拡大可能にしてもよい。
【実施例５】
【００５１】
図２４は画面に一覧表示されるメール件数が１件で、表示内容作成機能部１３２により作成される一覧表示例で文字サイズを拡大する別の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが１件であり、１件１行で画面に表示される場合に対して、本図（ｂ）に示すように、表示内容作成機能部１３２では、文字サイズ２０で１件のメールに対して２行の情報を画面に表示する。すなわち、送信者、受信日時の情報が文字サイズ拡大され画面に２行に表示される。
【００５２】
図２５は図２４の第１の変形例であり、画面に一覧表示されるメール件数が２件で、表示内容作成機能部１３２により作成される一覧表示例で文字サイズを拡大する例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが２件であり、２件２行で画面に表示される場合に対して、本図（ｂ）に示すように、表示内容作成機能部１３２では、文字サイズ２０で１件のメールに対して２行の情報を画面に表示する。すなわち、送信者、受信日時の情報が文字サイズ拡大され画面に４行に表示される。
【実施例６】
【００５３】
図２６は画面に一覧表示されるメール件数が１件で、表示内容作成機能部１３２により作成される一覧表示例でメール属性情報を追加し且つ文字サイズを拡大する例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが１件であり、１件１行で画面に表示される場合に対して、本図（ｂ）に示すように、表示内容作成機能部１３２では、文字サイズ１５で１件のメールに対して３行の情報を画面に表示する。すなわち、送信者、受信日時の情報に加えて、タイトルの属性情報が文字サイズ拡大され画面に追加表示される。
【００５４】
図２７は図２６の第１の変形例であり、画面に一覧表示されるメール件数が２件で、表示内容作成機能部１３２により作成される一覧表示例でメール属性情報を追加し且つ文字サイズを拡大する例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが２件であり、２件２行で画面に表示される場合に対して、本図（ｂ）に示すように、表示内容作成機能部１３２では、文字サイズ１５で２件のメールに対して６行の情報を画面に表示する。すなわち、送信者、受信日時の情報に加えて、タイトルの属性情報が文字サイズ拡大され画面に追加表示される。
【実施例７】
【００５５】
図２８は画面に一覧表示されるメール件数が１件で、表示内容作成機能部１３２により作成される一覧表示例でメール属性情報を追加し且つ文字サイズを拡大する他の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが１件であり、１件１行で画面に表示される場合に対して、本図（ｂ）に示すように、表示内容作成機能部１３２では、文字サイズ１５で１件のメールに対して４行の情報を画面に表示する。すなわち、送信者、受信日時の情報に加えて、タイトル、添付有無の属性情報が文字サイズ拡大され画面に追加表示される。
【実施例８】
【００５６】
図２９は画面に一覧表示されるメール件数が１件で、表示内容作成機能部１３２により作成される一覧表示例でメール属性情報を追加し且つ文字サイズを拡大する他の別の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが１件であり、１件１行で画面に表示される場合に対して、本図（ｂ）に示すように、表示内容作成機能部１３２では、文字サイズ２０で１件のメールに対して３行の情報を画面に表示する。すなわち、送信者、受信日時の情報に加えて、タイトルの属性情報が文字サイズ拡大され画面に追加表示される。
【実施例９】
【００５７】
図３０は画面に一覧表示されるメール件数が１件で、表示内容作成機能部１３２により作成される一覧表示例でメール属性情報を追加し且つ文字サイズを拡大する別の例を示す図である。本図（ａ）に示すように、多数の件数のメールを通信端末の表示装置１０４の画面の限られた範囲に一覧表示するため、画面に文字サイズ１０で送信者の情報と共に受信日時の属性情報を１行で一覧表示する場合で、メールが１件であり、１件１行で画面に表示される場合に対して、本図（ｂ）に示すように、表示内容作成機能部１３２では、文字サイズ２０で１件のメールに対して４行の情報を画面に表示する。すなわち、送信者、受信日時の情報に加えて、タイトル、添付の有無の属性情報が文字サイズ拡大され画面に追加表示される。
【実施例１０】
【００５８】
図３１は画面に一覧表示されるメール件数が１件で、表示内容作成機能部１３２により作成される一覧表示例でメール属性情報を追加する他の例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが１件であり、１件１行で画面に表示される場合に対して、本図（ｂ）に示すように、表示内容作成機能部１３２では、文字サイズ１５で１件のメールに対して２行の情報を画面に表示する。すなわち、送信者の情報に加えて、受信日時の属性情報が画面に追加表示される。
【００５９】
図３２は図３１の第１の変形例であり、画面に一覧表示されるメール件数が２件で、表示内容作成機能部１３２により作成される一覧表示例でメール属性情報を追加する例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが２件であり、２件２行で画面に表示される場合に対して、本図（ｂ）に示すように、表示内容作成機能部１３２では、文字サイズ１５で２件のメールに対して４行の情報を画面に表示する。すなわち、送信者の情報に加えて、受信日時の属性情報が画面に追加表示される。
【００６０】
図３３は図３１の第２の変形例であり、画面に一覧表示されるメール件数が３件で、表示内容作成機能部１３２により作成される一覧表示例でメール属性情報を追加する例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが３件であり、３件３行で画面に表示される場合に対して、本図（ｂ）に示すように、表示内容作成機能部１３２では、文字サイズ１５で３件のメールに対して６行の情報を画面に表示する。すなわち、送信者の情報に加えて、受信日時の属性情報が画面に追加表示される。
【実施例１１】
【００６１】
図３４は画面に一覧表示されるメール件数が１件で、表示内容作成機能部１３２により作成される一覧表示例でメール属性情報を追加する他の別の例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが１件であり、１件１行で画面に表示される場合に対して、本図（ｂ）に示すように、表示内容作成機能部１３２では、文字サイズ１５で１件のメールに対して３行の情報を画面に表示する。すなわち、送信者の情報に加えて、受信日時、タイトルの属性情報が画面に追加表示される。
【００６２】
図３５は図３４の第１の変形例であり、画面に一覧表示されるメール件数が２件で、表示内容作成機能部１３２により作成される一覧表示例でメール属性情報を追加する例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが２件であり、２件２行で画面に表示される場合に対して、本図（ｂ）に示すように、表示内容作成機能部１３２では、文字サイズ１５で２件のメールに対して６行の情報を画面に表示する。すなわち、送信者の情報に加えて、受信日時、タイトルの属性情報が画面に追加表示される。
【実施例１２】
【００６３】
図３６は画面に一覧表示されるメール件数が１件で、表示内容作成機能部１３２により作成される一覧表示例でメール属性情報を追加する他のさらなる別の例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが１件であり、１件１行で画面に表示される場合に対して、本図（ｂ）に示すように、表示内容作成機能部１３２では、文字サイズ１５で１件のメールに対して４行の情報を画面に表示する。すなわち、送信者の情報に加えて、受信日時、タイトル、添付有無の属性情報が画面に追加表示される。
【実施例１３】
【００６４】
図３７は画面に一覧表示されるメール件数が１件で、表示内容作成機能部１３２により作成される一覧表示例で文字サイズを拡大する例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが１件であり、１件１行で画面に表示される場合に対して、本図（ｂ）に示すように、表示内容作成機能部１３２では、文字サイズ２０で１件のメールに対して１行の情報を画面に表示する。すなわち、送信者の情報が文字サイズ拡大され画面に表示される。
【００６５】
図３８は図３７の第１の変形例であり、画面に一覧表示されるメール件数が２件で、表示内容作成機能部１３２により作成される一覧表示例で文字サイズを拡大する例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが２件であり、２件２行で画面に表示される場合に対して、本図（ｂ）に示すように、表示内容作成機能部１３２では、文字サイズ２０で２件のメールに対して２行の情報を画面に表示する。すなわち、送信者の情報が文字サイズ拡大され画面に表示される。
【００６６】
図３９は図３７の第２の変形例であり、画面に一覧表示されるメール件数が３件で、表示内容作成機能部１３２により作成される一覧表示例で文字サイズを拡大する例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが３件であり、３件３行で画面に表示される場合に対して、本図（ｂ）に示すように、表示内容作成機能部１３２では、文字サイズ２０で３件のメールに対して３行の情報を画面に表示する。すなわち、送信者の情報が文字サイズ拡大され画面に表示される。
【００６７】
図４０は図３７の第３の変形例であり、画面に一覧表示されるメール件数が４件で、表示内容作成機能部１３２により作成される一覧表示例で文字サイズを拡大する例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが４件であり、４件４行で画面に表示される場合に対して、本図（ｂ）に示すように、表示内容作成機能部１３２では、文字サイズ２０で４件のメールに対して４行の情報を画面に表示する。すなわち、送信者の情報が文字サイズ拡大され画面に表示される。
【実施例１４】
【００６８】
図４１は画面に一覧表示されるメール件数が１件で、表示内容作成機能部１３２により作成される一覧表示例でメール属性情報を追加し且つ文字サイズを拡大する他の別の例を示す図である。本図（ａ）に示すように、多数の件数のメールを通信端末の表示装置１０４の画面の限られた範囲に一覧表示するため、画面に文字サイズ１５で送信者の情報を２行で一覧表示する場合で、メールが１件であり、１件１行で画面に表示される場合に対して、本図（ｂ）に示すように、表示内容作成機能部１３２では、文字サイズ２０で１件のメールに対して２行の情報を画面に表示する。すなわち、送信者の情報に加えて、受信日時の属性情報が画面に追加表示される。
【００６９】
図４２は図４１の第１の変形例であり、画面に一覧表示されるメール件数が２件で、表示内容作成機能部１３２により作成される一覧表示例でメール属性情報を追加し且つ文字サイズを拡大する他の別の例を示す図である。本図（ａ）に示すように、多数の件数のメールを通信端末の表示装置１０４の画面の限られた範囲に一覧表示するため、画面に文字サイズ１５で送信者の情報を２行で一覧表示する場合で、メールが２件であり、２件２行で画面に表示される場合に対して、本図（ｂ）に示すように、表示内容作成機能部１３２では、文字サイズ２０で２件のメールに対して４行の情報を画面に表示する。すなわち、送信者の情報に加えて、受信日時の属性情報が画面に追加表示される。
【実施例１５】
【００７０】
図４３は画面に一覧表示されるメール件数が１件で、表示内容作成機能部１３２により作成される一覧表示例でメール属性情報を追加し且つ文字サイズを拡大する他のさらなる別の例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが１件であり、１件１行で画面に表示される場合に対して、本図（ｂ）に示すように、表示内容作成機能部１３２では、文字サイズ２０で１件のメールに対して３行の情報を画面に表示する。すなわち、送信者の情報に加えて、受信日時、タイトルの属性情報が画面に追加表示される。
【実施例１６】
【００７１】
図４４は画面に一覧表示されるメール件数が１件で、表示内容作成機能部１３２により作成される一覧表示例でメール属性情報を追加し且つ文字サイズを拡大する他のさらなる他の例を示す図である。本図（ａ）に示すように、多数の件数のメールを通信端末の表示装置１０４の画面の限られた範囲に一覧表示するため、画面に文字サイズ１５で送信者の情報を１行で一覧表示する場合で、メールが１件であり、１件１行で画面に表示される場合に対して、本図（ｂ）に示すように、表示内容作成機能部１３２では、文字サイズ２０で１件のメールに対して４行の情報を画面に表示する。すなわち、送信者の情報に加えて、受信日時、タイトル、添付有無の属性情報が画面に追加表示される。
以上、図８−４４において、受信メールの例について説明を行い、送信メール、送信を保留したメールについて、説明を省略するが、同様に説明が可能である。
【実施例１７】
【００７２】
図４５はメール一覧表示システムの一連の動作例であり、送信者、受信日時情報を１行にしたメール一覧表示に属性情報追加、文字サイズ拡大を行う動作例を説明するフローチャートである。本図に示すように、ステップ２０１において、メール属性取得機能部１３１ではメール属性情報保持部１２１からメール属性情報を取り出し、受け取ったメール属性情報からメール数を抽出し、表示装置１０４の画面に余白がある場合にはメール属性情報を表示内容作成機能部１３２に渡した後、表示内容作成機能部１３２では、メール表示拡張ルール保持部１２２に属性情報追加の選択情報が保持されているか否かを判断する。属性情報追加の選択情報が保持されていない場合にはステップ２０８に進む。
【００７３】
ステップ２０２において、属性情報追加の選択情報が保持されていると判断した場合、表示内容作成機能部１３２では、属性情報追加の選択情報としてタイトル追加の選択情報であるか否かを判断する。タイトル追加の選択情報でない場合にはステップ２０４に進む。
ステップ２０３において、タイトル追加の選択である場合には、表示内容作成機能部１３２では、図８−１１の表示を行い、処理を終了する。
【００７４】
ステップ２０４において、表示内容作成機能部１３２では添付ファイル有無追加の選択情報であるか否かを判断する。添付ファイル有無追加の選択情報でない場合にはステップ２０６に進む。
ステップ２０５において、添付ファイル有無追加の選択情報である場合には、表示内容作成機能部１３２では、図１５−２０の表示を行い、処理を終了する。
【００７５】
ステップ２０６において、タイトル／添付ファイル有無追加の選択情報であると判断する。
ステップ２０７において、表示内容作成機能部１３２では、図１２−１４の表示を行い、処理を終了する。
ステップ２０８において、表示内容作成機能部１３２では、メール表示拡張ルール保持部１２２に文字サイズ拡大の選択情報が保持されているか否かを判断する。文字サイズ拡大の選択情報が保持されていない場合にはステップ２１３に進む。
【００７６】
ステップ２０９において、表示内容作成機能部１３２では、文字サイズ１０→文字サイズ１５拡大の選択情報であるか否かを判断する。文字サイズ１０→文字サイズ１５拡大の選択情報でない場合にはステップ２１１に進む。
ステップ２１０において、文字サイズ１０→文字サイズ１５拡大の選択情報である場合には、表示内容作成機能部１３２では、図２１−２３の表示を行い、処理を終了する。
【００７７】
ステップ２１１において、文字サイズ１０→文字サイズ２０拡大の選択情報であると判断する。
ステップ２１２において、表示内容作成機能部１３２では、図２４−２５の表示を行い、処理を終了する。
ステップ２１３において、属性情報追加／文字サイズ拡大の選択情報であると判断する。
【００７８】
ステップ２１４において、表示内容作成機能部１３２では、文字サイズ１０→文字サイズ１５拡大の選択情報であるか否かを判断する。文字サイズ１０→文字サイズ１５拡大の選択情報でない場合にはステップ２１９に進む。
ステップ２１５において、文字サイズ１０→文字サイズ１５拡大の選択情報である場合には、表示内容作成機能部１３２では、タイトル追加の選択情報であるか否かを判断する。タイトル追加の選択情報でない場合にはステップ２１７に進む。
【００７９】
ステップ２１６において、タイトル追加の選択情報である場合には、表示内容作成機能部１３２では、図２６−２７の表示を行い、処理を終了する。
ステップ２１７において、タイトル／添付ファイル有無追加の選択情報であると判断する。
ステップ２１８において、表示内容作成機能部１３２では、図２８の表示を行い、処理を終了する。
【００８０】
ステップ２１９において、文字サイズ１０→文字サイズ２０拡大の選択情報であると判断する。
ステップ２２０において、表示内容作成機能部１３２ではタイトル追加の選択情報であるか否かを判断する。タイトル追加の選択情報でない場合にはステップ２２２に進む。
ステップ２２１において、タイトル追加の選択である場合には、表示内容作成機能部１３２では、図２９の表示を行い、処理を終了する。
【００８１】
ステップ２２２において、タイトル／添付ファイル有無追加の選択情報であると判断する。
ステップ２２３において、表示内容作成機能部１３２では、図３０の表示を行い、処理を終了する。
【実施例１８】
【００８２】
図４６はメール一覧表示システムの一連の動作例であり、送信者情報を１行にしたメール一覧表示に属性情報追加、文字サイズ拡大を行う動作例を説明するフローチャートである。本図に示すように、ステップ２３１において、メール属性取得機能部１３１ではメール属性情報保持部１２１からメール属性情報を取り出し、受け取ったメール属性情報からメール数を抽出し、表示装置１０４の画面に余白がある場合にはメール属性情報を表示内容作成機能部１３２に渡した後、表示内容作成機能部１３２では、メール表示拡張ルール保持部１２２に属性情報追加の選択情報が保持されているか否かを判断する。属性情報追加の選択情報が保持されていない場合にはステップ２３８に進む。
【００８３】
ステップ２３２において、属性情報追加の選択情報が保持されていると判断した場合、表示内容作成機能部１３２では、属性情報追加の選択情報として受信日時追加の選択情報であるか否かを判断する。受信日時追加の選択情報でない場合にはステップ２３４に進む。
ステップ２３３において、受信日時追加の選択である場合には、表示内容作成機能部１３２では、図３１−３３の表示を行い、処理を終了する。
【００８４】
ステップ２３４において、表示内容作成機能部１３２では受信日時／タイトル追加の選択情報であるか否かを判断する。受信日時／タイトル追加の選択情報でない場合にはステップ２３６に進む。
ステップ２３５において、受信日時／タイトル追加の選択情報である場合には、表示内容作成機能部１３２では、図３４−３５の表示を行い、処理を終了する。
【００８５】
ステップ２３６において、受信日時／タイトル／添付ファイル有無追加の選択情報であると判断する。
ステップ２３７において、表示内容作成機能部１３２では、図３６の表示を行い、処理を終了する。
ステップ２３８において、表示内容作成機能部１３２では、メール表示拡張ルール保持部１２２に文字サイズ拡大の選択情報が保持されているか否かを判断する。文字サイズ拡大の選択情報が保持されていない場合にはステップ２４１に進む。
【００８６】
ステップ２３９において、表示内容作成機能部１３２では、文字サイズ１５→文字サイズ２４拡大の選択情報であると判断する。
ステップ２４０において、表示内容作成機能部１３２では、図３７−４０の表示を行い、処理を終了する。
ステップ２４１において、属性情報追加／文字サイズ拡大の選択情報であると判断する。
【００８７】
ステップ２４２において、文字サイズ１５→文字サイズ２０拡大の選択情報であると判断する。
ステップ２４３において、表示内容作成機能部１３２では、受信日時追加の選択情報であるか否かを判断する。
ステップ２４４において、受信日時追加の選択である場合には、表示内容作成機能部１３２では、図４１−４２の表示を行い、処理を終了する。
【００８８】
ステップ２４５において、表示内容作成機能部１３２では受信日時／タイトル追加の選択情報であるか否かを判断する。受信日時／タイトル追加の選択情報でない場合にはステップ２４７に進む。
ステップ２４６において、受信日時／タイトル追加の選択情報である場合には、表示内容作成機能部１３２では、図４３の表示を行い、処理を終了する。
【００８９】
ステップ２４７において、受信日時／タイトル／添付ファイル有無追加の選択情報であると判断する。
ステップ２４８において、表示内容作成機能部１３２では、図４４の表示を行い、処理を終了する。
【実施例１９】
【００９０】
図４７は図２の変形例であり、図１におけるメール表示拡張ルール保持部１２２によるメールの属性情報の追加、文字サイズの拡大のルールの別の例を説明する図である。本図に示すように、図２と比較して、属性情報追加の機能、文字サイズ拡大の機能及び属性情報追加／文字サイズ拡大の機能の３つのオプションの他にカスタマイズの機能が設けられ、ユーザの入力装置１０１の操作により選択された任意の１つのオプションが機能する。
カスタマイズの機能が選択されると、メール表示拡張ルール保持部１２２では、メール件数に応じてユーザにより事前にカスタマイズされた属性情報追加、文字サイズ拡大の選択情報を保持する。
【実施例２０】
【００９１】
図４８はメール一覧表示システムの一連の動作例であり、送信者、受信日時情報を１行にしたメール一覧表示に属性情報追加、文字サイズ拡大の動作をカスタマイズで行う例を説明するフローチャートである。本図に示すように、ステップ２５１において、メール表示拡張ルール保持部１２２では、カスタマイズの選択情報が保持された場合には、メール件数が１件である選択情報であるか否かを判断する。メール件数が１件でない選択情報の場合にはステップ２５４に進む。
【００９２】
ステップ２５２において、メール件数が１件である選択情報に対して、メール表示拡張ルール保持部１２２には、例えば、文字サイズ拡大として文字サイズ１０→文字サイズ２０、属性情報追加としてタイトル／添付ファイル有無追加の選択情報が保持される。
ステップ２５３において、このような選択情報の保持があった場合に表示内容作成機能部１３２では図２９の表示を行い、処理を終了する。
【００９３】
ステップ２５４において、メール表示拡張ルール保持部１２２では、メール件数が２件である選択情報であるか否かを判断する。メール件数が２件でない選択情報の場合にはステップ２５７に進む。
ステップ２５５において、メール表示拡張ルール保持部１２２では、メール件数が２件である場合には文字サイズ拡大として文字サイズ１０→文字サイズ１５、属性情報追加としてタイトル追加の選択情報が保持される。
【００９４】
ステップ２５６において、このような選択情報の保持があった場合に表示内容作成機能部１３２では図２６の表示を行い、処理を終了する。
ステップ２５７において、メール表示拡張ルール保持部１２２では、メール件数が３件である選択情報であるか否かを判断する。メール件数が３件でない選択情報の場合にはステップ２６０に進む。
【００９５】
ステップ２５８において、メール表示拡張ルール保持部１２２では、メール件数が３件である場合には属性情報追加としてタイトル／添付ファイル有無追加の選択情報が保持される。
ステップ２５９において、このような選択情報の保持があった場合に表示内容作成機能部１３２では図１３の表示を行い、処理を終了する。
【００９６】
ステップ２６０において、メール表示拡張ルール保持部１２２では、メール件数が４件である選択情報であるか否かを判断する。メール件数が４件でない選択情報の場合にはステップ２６３に進む。
ステップ２６１において、メール表示拡張ルール保持部１２２では、メール件数が４件である場合には属性情報追加としてタイトル追加の選択情報が保持される。
【００９７】
ステップ２６２において、このような選択情報の保持があった場合に表示内容作成機能部１３２では図１０の表示を行い、処理を終了する。
ステップ２６３において、メール表示拡張ルール保持部１２２では、メール件数が５−６件であるか否かを判断する。メール件数が５−６でない場合には処理を終了する。
ステップ２６４において、メール表示拡張ルール保持部１２２では、メール件数が５−６件である場合には属性情報追加として添付ファイル有無追加の選択情報が保持される。
ステップ２６５において、このような選択情報の保持があった場合に表示内容作成機能部１３２では図１８−１９の表示を行い、処理を終了する。
【実施例２１】
【００９８】
図４９はメール一覧表示システムの一連の動作例であり、送信者を１行にしたメール一覧表示に属性情報追加、文字サイズ拡大の動作をカスタマイズで行う例を説明するフローチャートである。本図に示すように、ステップ２７１において、メール表示拡張ルール保持部１２２では、カスタマイズの選択情報が保持された場合には、メール件数が１件である選択情報であるか否かを判断する。メール件数が１件でない選択情報の場合にはステップ２７４に進む。
【００９９】
ステップ２７２において、メール件数が１件である選択情報に対して、メール表示拡張ルール保持部１２２には、例えば、文字サイズ拡大として文字サイズ１５→文字サイズ２０、属性情報追加として受信日時／タイトル／添付ファイル有無追加の選択情報が保持される。
ステップ２７３において、このような選択情報の保持があった場合に表示内容作成機能部１３２では図４３の表示を行い、処理を終了する。
【０１００】
ステップ２７４において、メール表示拡張ルール保持部１２２では、メール件数が２件である選択情報であるか否かを判断する。メール件数が２件でない選択情報の場合にはステップ２７７に進む。
ステップ２７５において、メール表示拡張ルール保持部１２２では、メール件数が２件である場合には、属性情報追加として受信日時／タイトル追加の選択情報が保持される。
【０１０１】
ステップ２７６において、このような選択情報の保持があった場合に表示内容作成機能部１３２では図３４の表示を行い、処理を終了する。
ステップ２７７において、メール表示拡張ルール保持部１２２では、メール件数が３件である選択情報であるか否かを判断する。メール件数が３件でない選択情報の場合にはステップ２８０に進む。
【０１０２】
ステップ２７８において、メール表示拡張ルール保持部１２２では、メール件数が３件である場合には属性情報追加として受信日時追加の選択情報が保持される。
ステップ２７９において、このような選択情報の保持があった場合に表示内容作成機能部１３２では図３２の表示を行い、処理を終了する。
ステップ２８０において、メール表示拡張ルール保持部１２２では、メール件数が４件である選択情報であるか否かを判断する。メール件数が４件でない選択情報の場合には処理を終了する。
【０１０３】
ステップ２８１において、メール表示拡張ルール保持部１２２では、メール件数が４件である場合には文字サイズ拡大として文字サイズ１５→文字サイズ２０の選択情報が保持される。
ステップ２８２において、このような選択情報の保持があった場合に表示内容作成機能部１３２では図３９の表示を行い、処理を終了する。
【産業上の利用可能性】
【０１０４】
以上の説明では、通信端末について行ったが、通信端末としてＰＨＳ（簡易携帯電話機）を含む携帯電話機、ＰＤＡ（携帯情報端末）、さらには、パーソナルコンピュータに対しても本発明の利用が可能である。
【図面の簡単な説明】
【０１０５】
【図１】本発明に係る通信端末のメール一覧表示システムの概略構成を示すブロック図である。
【図２】図１におけるメール表示拡張ルール保持部１２２によるメールの属性情報の追加、文字サイズの拡大のルールの例を説明する図である。
【図３】図２で属性情報追加の機能、又は属性情報追加／文字サイズ拡大の機能が選択された場合に追加される属性情報を選択する例を示す図である。
【図４】図２で属性情報追加の機能、又は属性情報追加／文字サイズ拡大の機能が選択された場合に追加される属性情報を選択する別の例を示す図である。
【図５】図２で文字サイズ拡大の機能、又は属性情報追加／文字サイズ拡大の機能が選択された場合に文字サイズ拡大情報を選択する例を示す図である。
【図６】図２で文字サイズ拡大の機能、又は属性情報追加／文字サイズ拡大の機能が選択された場合に文字サイズ拡大情報を選択する別の例を示す図である。
【図７】図１におけるメール表示拡張ルール保持部１２２による表示内容変更時のルールとして、文字サイズ拡大に対する１画面の行数を説明する図である。
【図８】画面に一覧表示されるメール件数が１件で、表示内容作成機能部１３２により作成される一覧表示例でメール属性情報を追加する例を示す図である。
【図９】図８の第１の変形例であり、画面に一覧表示されるメール件数が２件の場合の例を示す図である。
【図１０】図９の第２の変形例であり、画面に一覧表示されるメール件数が３件の場合の例を示す図である。
【図１１】図９の第３の変形例であり、画面に一覧表示されるメール件数が４件の場合の例を示す図である。
【図１２】画面に一覧表示されるメール件数が１件で、表示内容作成機能部１３２により作成される一覧表示例でメール属性情報を追加する別の例を示す図である。
【図１３】図１２の第１の変形例であり、画面に一覧表示されるメール件数が２件の場合の例を示す図である。
【図１４】図１２の第２の変形例であり、画面に一覧表示されるメール件数が３件の場合の例を示す図である。
【図１５】画面に一覧表示されるメール件数が１件で、表示内容作成機能部１３２により作成される一覧表示例でメール属性情報を追加する他の例を示す図である。
【図１６】図１５の第１の変形例であり、画面に一覧表示されるメール件数が２件の場合の例を示す図である。
【図１７】図１５の第２の変形例であり、画面に一覧表示されるメール件数が３件の場合の例を示す図である。
【図１８】図１５の第３の変形例であり、画面に一覧表示されるメール件数が４件の場合の例を示す図である。
【図１９】図１５の第４の変形例であり、画面に一覧表示されるメール件数が５件の場合の例を示す図である。
【図２０】図１５の第５の変形例であり、画面に一覧表示されるメール件数が６件の場合の例を示す図である。
【図２１】画面に一覧表示されるメール件数が１件で、表示内容作成機能部１３２により作成される一覧表示例で文字サイズを拡大する例を示す図である。
【図２２】図２１の第１の変形例であり、画面に一覧表示されるメール件数が２件で、表示内容作成機能部１３２により作成される一覧表示例で文字サイズを拡大する例を示す図である。
【図２３】図２１の第２の変形例であり、画面に一覧表示されるメール件数が３件で、表示内容作成機能部１３２により作成される一覧表示例で文字サイズを拡大する例を示す図である。
【図２４】画面に一覧表示されるメール件数が１件で、表示内容作成機能部１３２により作成される一覧表示例で文字サイズを拡大する別の例を示す図である。
【図２５】図２４の第１の変形例であり、画面に一覧表示されるメール件数が２件で、表示内容作成機能部１３２により作成される一覧表示例で文字サイズを拡大する例を示す図である。
【図２６】画面に一覧表示されるメール件数が１件で、表示内容作成機能部１３２により作成される一覧表示例でメール属性情報を追加し且つ文字サイズを拡大する例を示す図である。
【図２７】図２６の第１の変形例であり、画面に一覧表示されるメール件数が２件で、表示内容作成機能部１３２により作成される一覧表示例でメール属性情報を追加し且つ文字サイズを拡大する例を示す図である。
【図２８】画面に一覧表示されるメール件数が１件で、表示内容作成機能部１３２により作成される一覧表示例でメール属性情報を追加し且つ文字サイズを拡大する他の例を示す図である。
【図２９】画面に一覧表示されるメール件数が１件で、表示内容作成機能部１３２により作成される一覧表示例でメール属性情報を追加し且つ文字サイズを拡大する他の別の例を示す図である。
【図３０】画面に一覧表示されるメール件数が１件で、表示内容作成機能部１３２により作成される一覧表示例でメール属性情報を追加し且つ文字サイズを拡大する別の例を示す図である。
【図３１】画面に一覧表示されるメール件数が１件で、表示内容作成機能部１３２により作成される一覧表示例でメール属性情報を追加する他の例を示す図である。
【図３２】図３１の第１の変形例であり、画面に一覧表示されるメール件数が２件で、表示内容作成機能部１３２により作成される一覧表示例でメール属性情報を追加する例を示す図である。
【図３３】図３１の第２の変形例であり、画面に一覧表示されるメール件数が３件で、表示内容作成機能部１３２により作成される一覧表示例でメール属性情報を追加する例を示す図である。
【図３４】画面に一覧表示されるメール件数が１件で、表示内容作成機能部１３２により作成される一覧表示例でメール属性情報を追加する他の別の例を示す図である。
【図３５】図３４の第１の変形例であり、画面に一覧表示されるメール件数が２件で、表示内容作成機能部１３２により作成される一覧表示例でメール属性情報を追加する例を示す図である。
【図３６】画面に一覧表示されるメール件数が１件で、表示内容作成機能部１３２により作成される一覧表示例でメール属性情報を追加する他のさらなる別の例を示す図である。
【図３７】画面に一覧表示されるメール件数が１件で、表示内容作成機能部１３２により作成される一覧表示例で文字サイズを拡大する例を示す図である。
【図３８】図３７の第１の変形例であり、画面に一覧表示されるメール件数が２件で、表示内容作成機能部１３２により作成される一覧表示例で文字サイズを拡大する例を示す図である。
【図３９】図３７の第２の変形例であり、画面に一覧表示されるメール件数が３件で、表示内容作成機能部１３２により作成される一覧表示例で文字サイズを拡大する例を示す図である。
【図４０】図３７の第３の変形例であり、画面に一覧表示されるメール件数が４件で、表示内容作成機能部１３２により作成される一覧表示例で文字サイズを拡大する例を示す図である。
【図４１】画面に一覧表示されるメール件数が１件で、表示内容作成機能部１３２により作成される一覧表示例でメール属性情報を追加し且つ文字サイズを拡大する他の別の例を示す図である。
【図４２】図４１の第１の変形例であり、画面に一覧表示されるメール件数が２件で、表示内容作成機能部１３２により作成される一覧表示例でメール属性情報を追加し且つ文字サイズを拡大する他の別の例を示す図である。
【図４３】画面に一覧表示されるメール件数が１件で、表示内容作成機能部１３２により作成される一覧表示例でメール属性情報を追加し且つ文字サイズを拡大する他のさらなる別の例を示す図である。
【図４４】画面に一覧表示されるメール件数が１件で、表示内容作成機能部１３２により作成される一覧表示例でメール属性情報を追加し且つ文字サイズを拡大する他のさらなる他の例を示す図である。
【図４５】メール一覧表示システムの一連の動作例であり、送信者、受信日時情報を１行にしたメール一覧表示に属性情報追加、文字サイズ拡大を行う動作例を説明するフローチャートである。
【図４６】メール一覧表示システムの一連の動作例であり、送信者情報を１行にしたメール一覧表示に属性情報追加、文字サイズ拡大を行う動作例を説明するフローチャートである。
【図４７】図２の変形例であり、図１におけるメール表示拡張ルール保持部１２２によるメールの属性情報の追加、文字サイズの拡大のルールの別の例を説明する図である。
【図４８】図４８はメール一覧表示システムの一連の動作例であり、送信者、受信日時情報を１行にしたメール一覧表示に属性情報追加、文字サイズ拡大の動作をカスタマイズで行う例を説明するフローチャートである。
【図４９】メール一覧表示システムの一連の動作例であり、送信者を１行にしたメール一覧表示に属性情報追加、文字サイズ拡大の動作をカスタマイズで行う例を説明するフローチャートである。
【図５０】本発明の前提となる通信端末のメール一覧表示の例を示す図である。
【図５１】本発明の前提となる通信端末のメール一覧表示の別の例を示す図である。
【符号の説明】
【０１０６】
１００…通信端末のメール一覧表示システム
１０１…入力装置
１０２…記憶装置
１０３…処理装置
１０４…表示装置
１２１…メール属性情報保持部
１２２…メール表示拡張ルール保持部
１３１…メール属性取得機能部
１３２…表示内容作成機能部
【図１】
2006350742.tif 000003
【図２】
2006350742.tif 000004
【図３】
2006350742.tif 000005
【図４】
2006350742.tif 000006
【図５】
2006350742.tif 000007
【図６】
2006350742.tif 000008
【図７】
2006350742.tif 000009
【図８】
2006350742.tif 000010
【図９】
2006350742.tif 000011
【図１０】
2006350742.tif 000012
【図１１】
2006350742.tif 000013
【図１２】
2006350742.tif 000014
【図１３】
2006350742.tif 000015
【図１４】
2006350742.tif 000016
【図１５】
2006350742.tif 000017
【図１６】
2006350742.tif 000018
【図１７】
2006350742.tif 000019
【図１８】
2006350742.tif 000020
【図１９】
2006350742.tif 000021
【図２０】
2006350742.tif 000022
【図２１】
2006350742.tif 000023
【図２２】
2006350742.tif 000024
【図２３】
2006350742.tif 000025
【図２４】
2006350742.tif 000026
【図２５】
2006350742.tif 000027
【図２６】
2006350742.tif 000028
【図２７】
2006350742.tif 000029
【図２８】
2006350742.tif 000030
【図２９】
2006350742.tif 000031
【図３０】
2006350742.tif 000032
【図３１】
2006350742.tif 000033
【図３２】
2006350742.tif 000034
【図３３】
2006350742.tif 000035
【図３４】
2006350742.tif 000036
【図３５】
2006350742.tif 000037
【図３６】
2006350742.tif 000038
【図３７】
2006350742.tif 000039
【図３８】
2006350742.tif 000040
【図３９】
2006350742.tif 000041
【図４０】
2006350742.tif 000042
【図４１】
2006350742.tif 000043
【図４２】
2006350742.tif 000044
【図４３】
2006350742.tif 000045
【図４４】
2006350742.tif 000046
【図４５】
2006350742.tif 000047
【図４６】
2006350742.tif 000048
【図４７】
2006350742.tif 000049
【図４８】
2006350742.tif 000050
【図４９】
2006350742.tif 000051
【図５０】
2006350742.tif 000052
【図５１】
2006350742.tif 000053